(57)【要約】【課題】バルブをリフレクタの側方から挿入させた構成において、リフレクタによる配光制御機能を損ねることなく、バルブからの発熱を効率的に放散させる。【解決手段】車両用灯具１は、前後方向に沿った光軸Ａｘを有する投影レンズ２と、投影レンズ２の後方に配置され、左右方向に略沿って延在するバルブ軸Ａｘ１を有するバルブ３と、バルブ３を後方から覆うように配置され、バルブ３から出射された光を前方へ反射させる反射面６２を有するリフレクタ６とを備える。リフレクタ６の反射面６２のうち、バルブ３の後方に位置するとともにバルブ３からの光を当該バルブ３に向けて反射させる反射領域には、バルブ３からの発熱を放散させる放熱孔６２ａが形成されている。【選択図】図２
2012204051.tif 000002
【特許請求の範囲】
【請求項１】
前後方向に沿った光軸を有する投影レンズと、
前記投影レンズの後方に配置され、前記光軸と略直交する方向に沿って延在するバルブ軸を有するバルブと、
前記バルブを後方から覆うように配置され、前記バルブから出射された光を前方へ反射させる反射面を有するリフレクタと、
を備える車両用灯具において、
前記リフレクタの反射面のうち、前記バルブの後方に位置するとともに前記バルブからの光を当該バルブに向けて反射させる反射領域には、前記バルブからの発熱を放散させる放熱孔が形成されていることを特徴とする車両用灯具。
【請求項２】
前記バルブが前記光軸から下方に離間した位置に配置されていることを特徴とする請求項１に記載の車両用灯具。
【発明の詳細な説明】
【技術分野】
【０００１】
本発明は、車両用灯具に関する。
【背景技術】
【０００２】
従来、自動車用ヘッドライトなどの車両用灯具として、リフレクタに後方から挿入されたバルブを発光させ、その光をリフレクタ前面の反射面で反射させて投影レンズで投影する、いわゆるプロジェクタ型のものが知られている。
【０００３】
このプロジェクタ型の車両用灯具においては、バルブからの発熱を灯具外へ放散させる目的で、バルブの後方を覆うリフレクタに放熱孔を形成する場合がある。この放熱孔は、一般に、リフレクタの配光制御に影響を及ぼさないように、反射面以外の部分に形成される。例えば、特許文献１に記載の車両用灯具では、リフレクタ後部に穿設されたバルブ挿入孔の周囲に複数の放熱孔が形成されている。また、特許文献２に記載の車両用灯具では、リフレクタ前部の開口付近に放熱孔が形成されている。
【先行技術文献】
【特許文献】
【０００４】
【特許文献１】特開２００２−３１３１０９号公報
【特許文献２】特開平１１−１１１０１０号公報
【発明の概要】
【発明が解決しようとする課題】
【０００５】
ところで、プロジェクタ型の車両用灯具においては、灯具を前後方向にコンパクトにするために、バルブを側方からリフレクタに挿入させた構造が採用されることがある。
このような構造の車両用灯具では、バルブを後方から挿入させた上記構造のものとは、バルブと反射面との位置関係が当然に異なっている。そのため、当該構造の車両用灯具において、リフレクタに放熱孔を設けようとした場合、上記特許文献１，２に記載の放熱孔を単純に適用しただけでは、放熱効果や配光制御の点において放熱孔が好適に配置されているとは言い難い。
【０００６】
本発明は、上記事情を鑑みてなされたもので、バルブをリフレクタの側方から挿入させた構成において、リフレクタによる配光制御機能を損ねることなく、バルブからの発熱を効率的に放散させることができる車両用灯具の提供を課題とする。
【課題を解決するための手段】
【０００７】
上記課題を解決するために、請求項１に記載の発明は、
前後方向に沿った光軸を有する投影レンズと、
前記投影レンズの後方に配置され、前記光軸と略直交する方向に沿って延在するバルブ軸を有するバルブと、
前記バルブを後方から覆うように配置され、前記バルブから出射された光を前方へ反射させる反射面を有するリフレクタと、
を備える車両用灯具において、
前記リフレクタの反射面のうち、前記バルブの後方に位置するとともに前記バルブからの光を当該バルブに向けて反射させる反射領域には、前記バルブからの発熱を放散させる放熱孔が形成されていることを特徴とする。
【０００８】
請求項２に記載の発明は、請求項１に記載の車両用灯具において、
前記バルブが前記光軸から下方に離間した位置に配置されていることを特徴とする。
【発明の効果】
【０００９】
本発明によれば、リフレクタの反射面のうち、バルブの後方に位置するとともにバルブからの光を当該バルブに向けて反射させる反射領域、つまり、反射光がバルブに遮光されてしまう反射領域に、バルブからの発熱を放散させる放熱孔が形成されているので、反射面としては有効に機能しえない部分を放熱孔として利用しつつ、当該放熱孔によりバルブからの発熱が放散される。したがって、バルブ軸が光軸と略直交するようにバルブをリフレクタの側方から挿入させた構成において、リフレクタによる配光制御機能を損ねることなく、バルブからの発熱を効率的に放散させることができる。
【図面の簡単な説明】
【００１０】
【図１】実施形態における車両用灯具の分解斜視図である。
【図２】実施形態におけるリフレクタの正面図である。
【図３】実施形態におけるリフレクタを後方から見た斜視図である。
【発明を実施するための形態】
【００１１】
以下、本発明の実施形態について、図面を参照して説明する。
【００１２】
図１は、本実施形態における車両用灯具１の分解斜視図であり、図２は、車両用灯具１が備えるリフレクタ６の正面図であり、図３は、リフレクタ６を後方から見た斜視図である。
なお、以下の説明では、特に断らない限り、「前」「後」「左」「右」「上」「下」との記載を、車両用灯具１から見た方向を指すものとして、図面の記載と対応させて用いることとする。
【００１３】
図１に示すように、車両用灯具１は、いわゆるプロジェクタ型のものであり、投影レンズ２と、バルブ３と、シェード４と、サブリフレクタ５と、リフレクタ６とを備えている。
このうち、投影レンズ２は、前面が凸面とされた平凸レンズであり、前後方向に沿った光軸Ａｘを有している。この投影レンズ２は、レンズホルダー２１に固定された状態でリフレクタ６に取り付けられており、光軸Ａｘ上の後側焦点を含む焦点面上の像を前方へ反転投影する。
【００１４】
バルブ３は、フィラメント３１を有しており、バルブ軸Ａｘ１が左右方向に略沿って延在するように配置されている。より詳しくは、バルブ３は、投影レンズ２の後側焦点よりも後方であって光軸Ａｘから下方に離間した位置に配置されるように、左側方から左右方向に略沿ってリフレクタ６に挿入されている。
【００１５】
シェード４は、リフレクタ６で反射された光の一部を遮光するためのものであり、第一シェード４１及び第二シェード４２から構成されている。
このうち、第一シェード４１は、上端縁４１ａの上下方向位置を光軸Ａｘと略一致させた状態で第二シェード４２に固定されている。この第一シェード４１は、車両用灯具１が形成する配光パターン（ロービーム）にカットオフラインを形成するためのものであり、その上端縁４１ａの左右方向中央の近傍に投影レンズ２の後側焦点が位置するとともに、当該上端縁４１ａが、光軸Ａｘから左右両側方へ離れるに連れて前方に位置するように湾曲している。
一方、第二シェード４２は、光軸Ａｘと直交するように立設された平板部材であり、上半部に形成された透光孔４２ａの下部に第一シェード４１の上端縁４１ａを臨ませた状態で、レンズホルダー２１とリフレクタ６とに挟持されている。
【００１６】
サブリフレクタ５は、前方からリフレクタ６の開口内に挿入されて当該開口の下半部を覆うように、リフレクタ６に保持されている。サブリフレクタ５の後面には、図示しない第一付加反射面が形成されている。この第一付加反射面は、バルブ３から前方へ出射された光を右斜め後方へ反射させる。
【００１７】
リフレクタ６は、前方に開口する略半球板状に形成されている。リフレクタ６の下側の左側部には、左右方向に穿設されたバルブ挿入孔６１ａを有するバルブ支持部６１が、開口内に突出するように設けられている。バルブ挿入孔６１ａにはバルブ３が左側方から挿入され、バルブ支持部６１によってバルブ３の基端部が支持されており、当該バルブ３がリフレクタ６の開口内で当該リフレクタ６に後方から覆われるように配置される。
【００１８】
図２及び図３に示すように、リフレクタ６の内周面には、反射面６２と第二付加反射面６３とが形成されている。
このうち、第二付加反射面６３は、リフレクタ６の内周面のうち、右側部であってバルブ３のバルブ軸Ａｘ１方向の略前方に形成されている。この第二付加反射面６３は、サブリフレクタ５の図示しない第一付加反射面で反射された光を、鉛直方向では第一シェード４１の上端縁４１ａ近傍に集光させるように前方へ反射させ、水平方向ではやや拡散した光となるように前方へ反射させる。
【００１９】
一方、反射面６２は、リフレクタ６の内周面のうち、バルブ支持部６１及び第二付加反射面６３を除く略全ての部分に亘って形成されている。この反射面６２は、回転楕円面を基調とする自由曲面とされ、バルブ３から出射された光を投影レンズ２の後側焦点を含む焦点面に向けて前方へ反射させる。
反射面６２のうち、バルブ３の後方やや下方に位置する部分には、バルブ３からの発熱を放散させる放熱孔６２ａが形成されている。この放熱孔６２ａが形成された部分は、反射面６２の一部とされたとしても、バルブ３からの光を当該バルブ３に向けて反射させてしまう（反射光がバルブ３に遮光されてしまう）反射領域となる部分であるため、反射面としては有効に利用することのできない部分である。このように反射光がバルブ３に遮光されてしまう反射領域は、バルブを後方からリフレクタに挿入させた構造では生じえない部分である。また、当該部分は、光軸Ａｘから下方に離間した部分であってリフレクタ６の内周面のうちの下側部分であり、比較的にバルブ３から近い部分である。
【００２０】
また、リフレクタ６の内周面のうち、バルブ３のバルブ軸Ａｘ１方向の前方に位置する右側面には、放熱孔６２ａと同様にバルブ３からの発熱を放散させるための第二放熱孔６ａが形成されている。なお、バルブ３はバルブ軸Ａｘ１方向へ出射する光量が少ないため、この第二放熱孔６ａが形成された部分は、バルブ３から直接入射する光量が少なく、反射面６２の一部としたとしても有用度の少ない部分である。
【００２１】
以上のように、車両用灯具１によれば、リフレクタ６の反射面６２のうち、バルブ３の後方に位置するとともにバルブ３からの光を当該バルブ３に向けて反射させる反射領域、つまり、反射光がバルブ３に遮光されてしまう反射領域に、バルブ３からの発熱を放散させる放熱孔６２ａが形成されているので、反射面としては有効に機能しえない部分を放熱孔６２ａとして利用しつつ、当該放熱孔６２ａによりバルブ３からの発熱が放散される。したがって、バルブ軸Ａｘ１が左右方向に略沿って延在するようにバルブ３をリフレクタ６の側方から挿入させた構成において、リフレクタ６による配光制御機能を損ねることなく、バルブ３からの発熱を効率的に放散させることができる。
【００２２】
また、バルブ３が光軸Ａｘから下方に離間した位置に配置されているので、放熱孔６２ａがリフレクタ６の内周面のうちの下側部分に形成される結果、当該放熱孔６２ａがバルブ３から近い部分に形成される。したがって、当該放熱孔６２ａにより、バルブ３からの発熱をより効率的に放散させることができる。
【００２３】
なお、本発明を適用可能な実施形態は、上述した実施形態に限定されることなく、本発明の趣旨を逸脱しない範囲で適宜変更可能である。
【００２４】
例えば、上記実施形態では、バルブ軸Ａｘ１が左右方向に略沿って延在するようにバルブ３を左方からリフレクタ６に挿入することとしたが、バルブ３の挿入方向は、バルブ軸Ａｘ１が光軸Ａｘに略直交する方向に沿って延在するものであれば、左右方向でなくともよい。
【００２５】
また、車両用灯具１には、バルブ３からの発熱を放散させるものとして放熱孔６２ａ及び第二放熱孔６ａを設けることとしたが、リフレクタ６のうち反射面６２以外の部分に設けるものであれば、上記特許文献１，２に記載のように、バルブ挿入孔６１ａの周囲やリフレクタ６の開口付近に他の放熱孔を設けてもよい。
【符号の説明】
【００２６】
１          車両用灯具
２          投影レンズ
Ａｘ      光軸
２１      レンズホルダー
３          バルブ
Ａｘ１    バルブ軸
３１      フィラメント
４          シェード
４１      第一シェード
４２      第二シェード
５          サブリフレクタ
６          リフレクタ
６１      バルブ支持部
６１ａ  バルブ挿入孔
６２      反射面
６２ａ  放熱孔
６３      第二付加反射面
６ａ      第二放熱孔
【図１】
2012204051.tif 000003
【図２】
2012204051.tif 000004
【図３】
2012204051.tif 000005